(57)【要約】      （修正有）【課題】巻尺の取り扱い性を低下させることなく、ベルトクリップをケースに複数の固定ねじで安定して固定できるようにした巻尺を提供する。【解決手段】ケース３のベルトクリップ１のベース部２に対応する部分を外方に突出させてケース３に外側に突出する段部４を設け、この段部４上にベルトクリップ１を配置して、ベルトクリップを固定するための固定ねじ５を、内装する回転ドラムの支持軸に設けたねじ受け部に螺挿し、同じく固定ねじ６を、段部４の内側に設けたねじ受け部に螺挿する。【選択図】図１
0003182388.tif 000002
【実用新案登録請求の範囲】
【請求項１】
作業者のベルトに係着するベルトクリップを設けた巻尺であって、ベルトクリップは複数の固定ねじでケースに固定され、固定ねじの一つは、ケースの通孔から内装する回転ドラムの支持軸に設けたねじ受け部に螺挿され、他の固定ねじは、ケースに形成したねじ受け部に螺挿されていることを特徴とする巻尺。
【請求項２】
上記ケースのベルトクリップの少なくともベース部に対応する部分を外方に突出させて内装する回転ドラムの側面とケース内壁との間に相当な空間を設け、この空間内に上記ねじ受け部を設けたことを特徴とする請求項１に記載の巻尺。
【請求項３】
上記ケースのベルトクリップの少なくともベース部に対応する部分の素材厚を増して外側に突出する段部を設け、この段部に上記ねじ受け部を設けたことを特徴とする請求項１に記載の巻尺。
【考案の詳細な説明】
【技術分野】
【０００１】
本考案は、巻尺を作業者のベルトに係着するためのベルトクリップを設けた巻尺に関する。
【背景技術】
【０００２】
従来、巻尺に設けられるベルトクリップは、図５に示すように、１つの固定ねじ１４でケース１５に固定されていて、この固定ねじ（雄ねじ）のねじ部は、ケース内に立設される回転ドラム支持用の軸に、該軸方向に設けられた雌ねじ部に螺入している（例えば、特許文献１参照）。
【０００３】
上述のようにベルトクリップは固定ねじ１つで固定しているので、作業中にケースの衝突や落下などによりベルトクリップに固定ねじを緩ませる方向へ衝撃が掛かったとき、この衝撃によってベルトクリップが動いて固定ねじが緩み、ベルトクリップの脱落、また巻尺を作業者のベルトに係着している場合はこの巻尺が落下する恐れがあった。
【０００４】
そして、地上での作業中に巻尺が落下したときは、人身に係わる二次災害の発生確率は極めて低いといってもよいが、高所での作業中に巻尺が落下したとき、人身は勿論のこと物的にも極めて重大な二次災害が発生するであろうと予想されてはいたが、これまでに二次災害の発生はなく、また、巻尺の取り扱い性や後述の理由などから対策は採られていなかった。
【０００５】
ベルトクリップが１つの固定ねじで固定される理由は、ベルトクリップの中心がほぼケースの中心に位置するとき該ケースを安定して保持できるので、この位置にベルトクリップを固定しようとすると、固定ねじを螺入できる部材としては回転ドラム支持用の軸しかないためで、この軸の軸方向に雌ねじを螺刻して該雌ねじ部に固定ねじ（雄ねじ）を螺入している。また、この軸は回転ドラムに対応する形態になっているので、雌ねじ部は軸端面に１箇所しか設けることができないのである。
【０００６】
なお、接着による固定も考えられるが、接着剤は、保管や使用環境の管理をしっかりとしないと予定する接着力を得られず、ベルトクリップが突然ケースから脱落する危険があり、特に強い接着力を得ることができる２液混合の接着剤を用いる場合は、保管や使用環境の管理をより厳格に行わなければならならないため、接着剤は使用しないのである。また、接着剤と固定ねじとの併用は、巻尺の組立後にメカ調整のためにケースを開ける場合があるので併用できないのである。
【０００７】
しかしながら、ベルトクリップを固定ねじ１つで固定していてもこれまでに二次災害の発生はないとはいえ、今後も二次災害の発生は絶対にないとは言えるものではなく、したがって、安全性向上のためにベルトクリップの安定固定対策は必須の課題であった。
【先行技術文献】
【特許文献】
【０００８】
【特許文献１】特開２０１２−８０２５号公報
【考案の概要】
【考案が解決しようとする課題】
【０００９】
本考案の目的とするところは、巻尺の取り扱い性を低下させることなく、ベルトクリップをケースに複数の固定ねじで安定して固定できるようにした巻尺を提供できるようにすることにある。
【課題を解決するための手段】
【００１０】
上述した課題を解決するために、本考案に係る巻尺は、作業者のベルトに係着するベルトクリップを設けた巻尺であって、ベルトクリップは複数の固定ねじでケースに固定され、固定ねじの一つは、ケースの通孔から内装する回転ドラムの支持軸に設けたねじ受け部に螺挿され、他の固定ねじは、ケースに形成したねじ受け部に螺挿されていることを特徴とするものである。
【００１１】
本考案では、ヘアピン状に形成したプレート体の同プレート間に作業者が装着するベルトを挿嵌して該ベルト本体に係着できるように構成しているものや、ベルト本体への係着と共に、クリップ体がベルトに設けられたカラビナ（茄子環やＤフックなど）などの吊り下げ具に吊り下げられるように変化するものなど、巻尺のケースを外部の部材に係着できるように構成されているもの全てをベルトクリップと称する。
【００１２】
そして、複数の固定ねじで固定されるベルトクリップは、一つの固定ねじ、すなわち従来からのベルトクリップ固定用ねじたる第１の固定ねじを、ベルトクリップにおけるケース外面に配置されるベース部に有する通孔、さらにケースに形成された通孔を通過させて、ケースに内装する回転ドラムを回転自在に支持するための支持軸の軸方向に形成したねじ受け部に螺挿する。該ねじ受け部は、第１の固定ねじが螺着できるようになっていて、例えば、雌ねじが形成されている。
【００１３】
他の固定ねじたる第２の固定ねじは、ケースに形成したねじ受け部に螺挿され、また、該ねじ受け部は、ケース成型時に一体的に成型するのがよい。勿論、ケースに別部材を後付け（固定）してねじ受け部としてもよい。
【００１４】
そして、ねじ受け部をケースの内側に設ける場合は、ケースのベルトクリップの少なくともベース部に対応する部分を外方に突出させ（ケースに外側に突出する段部を設ける）、回転ドラムの側面（回転面）とケース内壁との間の空間を拡大してこの拡大した空間に、例えば、段部の内壁にねじ受け部を設ける。そしてねじ受け部は、ねじの螺挿検証の結果から、第２の固定ねじのねじ山を少なくとも３山は確保するのがよい。勿論、巻尺の取り扱い性などに支障がでなければ４山以上確保してもよい。
【００１５】
また、ケース自体をねじ受け部にする場合としては、例えば、ケースのベルトクリップの少なくともベース部に対応する部分の素材厚を増して外側に突出する段部を設けて、この段部を第２の固定ねじのねじ受け部にする。そしてねじ受け部となる段部は、第２の固定ねじのねじ山を少なくとも３山は確保できる厚さにするのがよい。なお、第２の固定ねじが螺挿されない部位は、素材の厚さを適当に薄厚にしてもよい。
【００１６】
そして、上述のように段部を第２の固定ねじのねじ受け部にした場合は、ベルトクリップのベース部は段部上に配置して、該段部に、ケースに内装する回転ドラムを回転自在に支持するための支持軸に形成したねじ受け部に対向する通孔を設ける。該通孔は、第１の固定ねじを通す通孔となる。
【００１７】
そして、第１の固定ねじを螺挿する回転ドラムの支持軸に形成されるねじ受け部と第２の固定ねじを螺挿するねじ受け部は、第１および第２の固定ねじが巻尺の形態により選定（例えば、タッピングねじ、メートルねじのような一般に広く用いられるねじ、輸出用製品はインチねじ）されるので、該選定されるねじに対応する形態にしている。
【考案の効果】
【００１８】
本考案の巻尺によれば、ベルトクリップをケースに複数の固定ねじで固定できるので、固定安定性を格段に向上することができ、また、新たに設けた固定ねじ（第２の固定ねじ）のねじ受け部のねじ山を、ねじの螺挿検証の結果から３山にできるので、巻尺の取り扱い性を低下させることもない。
【図面の簡単な説明】
【００１９】
【図１】本考案に係る巻尺を示す斜視図。
【図２】ケースの一部拡大断面図。
【図３】ケースの一部拡大断面図。
【図４】他のベルトクリップを設けた巻尺を示す斜視図。
【図５】従来の巻尺を示す斜視図。
【考案を実施するための形態】
【００２０】
以下、本考案に係る巻尺を、添付図面に示す具体例に基づいて詳細に説明すると、図１に示すように、ベルトクリップ１は、このベース部２をケース３の段部４上に配置して、第１の固定ねじたる固定ねじ５および第２の固定ねじたる固定ねじ６で固定している。また、ベルトクリップ１は、従来から用いられているものを示している。
【００２１】
図２（ａ）は、ケース３の段部４部分の段面を示していて、段部４は、ベルトクリップ１に略対応する部分のケース面を外方に突出させ、ねじ通孔部７、ねじ受け部８を設けている。
【００２２】
そして、図２（ｂ）（ｃ）に示すように、固定用ねじ５は、ねじ通孔部７を通ってケース３に内装する回転ドラム９（一点破線で示す）を回転自在に支持する支持軸１０に、この軸方向に形成したねじ受け部１１に螺挿している。支持軸１０の端部は、ねじ通孔部７の嵌合部７ａに嵌合させている。また、固定用ねじ６は、ねじ受け部８に螺挿している。
【００２３】
図３（ａ）は、図１の段部４を、ベルトクリップ１に略対応する部分のケース素材厚を増して外側に突出させることで段部４ａを形成し、この段部４ａに、第２の固定ねじたる固定ねじ６のねじ受け部４ｂを形成している。また、ねじ通孔部４ｃには、ケース３に内装する回転ドラム９（一点破線で示す）を回転自在に支持するための支持軸１０の端部と嵌合する嵌合部４ｄを形成している。
【００２４】
そして、図３（ｂ）（ｃ）に示すように、固定用ねじ５は、ねじ通孔部４ｃを通って、ケース３に内装する回転ドラム９（一点破線で示す）を回転自在に支持する支持軸１０の軸方向に形成したねじ受け部１１に螺挿している。また、固定用ねじ６は、ねじ受け部４ｂに螺挿している。
【００２５】
図４は、本出願人発明のベルトクリップ１２を設けた巻尺を示しているものであり、このベルトクリップ１２は、クリップ体１３を作業者のベルト本体に係着できる図４（ａ）の状態と、図４（ｂ）のように、クリップ体１３を図中の矢印Ａ方向に移動させて上記ベルトに設けられたカラビナ（茄子環やＤフックなど）などの吊り下げ具（図示は省略）に吊り下げられる状態とに変化できるようになっている。
【符号の説明】
【００２６】
１…ベルトクリップ
２…ベース部
３…ケース
４…段部
４ａ…段部
４ｂ…ねじ受け部
４ｃ…ねじ通孔部
４ｄ…嵌合部
５…固定ねじ
６…固定ねじ
７…ねじ通孔部
７ａ…嵌合部
８…ねじ受け部
９…回転ドラム
１０…支持軸
１１…ねじ受け部
１２…ベルトクリップ
１３…クリップ体
１４…固定ねじ
１５…ケース
【図１】
0003182388.tif 000003
【図２】
0003182388.tif 000004
【図３】
0003182388.tif 000005
【図４】
0003182388.tif 000006
【図５】
0003182388.tif 000007